(57)【要約】【課題】  記録媒体の送りムラを小さく抑え、薄型でかつ小型の構造を有するプリンタを提供する。【解決手段】  一対の搬送ローラのうちの一方の搬送ローラのツバ状に張り出した表面部分に、平坦な底部３１１ａを有する四角錐３１１からなる第１のパターン列Ｒ１と、突起３１２ａを有する四角錐３１２からなる第２のパターン列Ｒ２とが交互に配置されるとともに、四角錐３１１の底部３１１ａの高さよりも四角錐３１２の突起３１２ａの高さのほうが高く且つ鋭利に形成されてなる凹凸パターン３１０を形成した。【選択図】  図１３
2005350248.tif 000002
【特許請求の範囲】
【請求項１】
所定の搬送方向先端部に現像剤溜りを持ち露光により潜像が形成され前記現像剤溜りにある現像剤の展開を受けて顕像化された画像が記録される記録媒体に光照射により潜像を書き込み前記現像剤溜りを押し潰して現像剤を展開することにより現像を行なうプリンタにおいて、
記録媒体両側部を挟んで該記録媒体を搬送する一対の搬送ローラと、
前記一対の搬送ローラよりも記録媒体搬送方向下流側に配備され、該記録媒体を全幅に亘って挟んで前記現像剤溜りを押し潰して現像剤を展開する一対の展開ローラとを備え、
前記一対の搬送ローラのうちの少なくとも一方の搬送ローラが、所定の高さの第１の凸部が分散配置されるとともに、該第１の凸部どうしの間に、該第１の凸部よりも高さが低く、かつ、該第１の凸部よりも体積が大きい第２の凸部が分散配置された表面形状を有することを特徴とするプリンタ。
【請求項２】
前記第１の凸部が錐形状を有するものであることを特徴とする請求項１記載のプリンタ。
【請求項３】
前記第２の凸部が尖頭切断形状を有するものであることを特徴とする請求項１記載のプリンタ。
【請求項４】
さらに、前記一対の展開ローラのうちの少なくとも一方の展開ローラが、記録媒体両端部を挟む部分に、所定の高さの第１の凸部が分散配置されるとともに、該第１の凸部どうしの間に、該第１の凸部よりも高さが低く、かつ、該第１の凸部よりも体積が大きい第２の凸部が分散配置された表面形状を有することを特徴とする請求項１記載のプリンタ。
【発明の詳細な説明】
【技術分野】
【０００１】
本発明は、所定の搬送方向先端部に現像剤溜りを持ち露光により潜像が形成され上記現像剤溜りにある現像剤の展開を受けて顕像化された画像が記録される記録媒体に光照射により潜像を書き込み上記現像剤溜りを押し潰して現像剤を展開することにより現像を行なうプリンタに関する。
【背景技術】
【０００２】
上記のようなプリンタとして、インスタントフイルムシート上にカラー画像を記録するプリンタがある。インスタントフイルムシートは、所定の搬送方向先端部であって画像が露光される露光面に膨らんだ現像剤溜りを持ち、露光により潜像が形成されその現像剤溜りにある現像剤の展開を受けて顕像化された画像が上記露光面とは反対側の面に記録されるフイルムシートである。このプリンタは、一対の搬送ローラおよび上記一対の搬送ローラよりもインスタントフイルムシート搬送方向下流側に配備された一対の展開ローラを備え、画像書込部を構成するレッド（Ｒ）,グリーン（Ｇ）,ブルー（Ｂ）の発光色を持つ発光素子からの３つの色光を循環的に照射することにより、そのインスタントフイルムシートに潜像を書き込み、上記一対の搬送ローラでインスタントフイルムシートの両側部を挟んで搬送するとともに上記一対の展開ローラで、そのインスタントフイルムシートを全幅に亘って挟んで現像剤溜りを押し潰して現像剤を展開することにより現像を行なう（例えば、特許文献１参照）。
【０００３】
また、インスタントフイルムシートを正確且つ確実に搬送するために、インスタントフイルムシートを搬送する搬送ローラの、インスタントフイルムシートの現像剤溜りを除いた両端部分に対応する部分に突起を備えた搬送ローラが提案されている（特許文献２参照）。
【特許文献１】米国特許第６３１７５６１Ｂ１号明細書
【特許文献２】特許第３２７１０４８号明細書
【発明の開示】
【発明が解決しようとする課題】
【０００４】
上述した特許文献１に提案されたプリンタでは、搬送ローラの、インスタントフイルムの両端部分に対応する部分の幅寸法は、比較的大きな寸法である。このため、搬送にあたり、インスタントフイルムシートの、現像液を所定の厚みで保存する空間（画像形成領域）を除いた余白部分を多く必要とし、サイズの小さなインスタントフイルムシートの使用は困難である。従って、薄型でかつ小型のプリンタの実現化が困難であるという問題がある。
【０００５】
また、特許文献２に提案された搬送ローラは、インスタントフイルムシートの両端部分に対応する部分に突起を備えたものであるため、インスタントフイルムシートを正確に且つ確実に搬送することができる。従って、インスタントフイルムシートを搬送しながら発光素子で潜像を書き込む際に、インスタントフイルムシートの送り精度のバラツキにより、印画タイミングにズレが生じ画像にスジ状のムラが発生することを防止することができる。しかし、この搬送ローラは、金属製丸棒の周面にパンチユニットで形成された複数のスパイク状の突起を有するものであるため、この搬送ローラの、インスタントフイルムシートを搬送するための送りピッチは広く、サイズの小さなインスタントフイルムシートでは間欠送りを呈する状態となる。従って、薄型でかつ小型のプリンタへの適用は困難である。
【０００６】
本発明は、上記事情に鑑み、記録媒体の送りムラを小さく抑え、薄型でかつ小型の構造を有するプリンタを提供することを目的とする。
【課題を解決するための手段】
【０００７】
上記目的を達成する本発明のプリンタは、所定の搬送方向先端部に現像剤溜りを持ち露光により潜像が形成され上記現像剤溜りにある現像剤の展開を受けて顕像化された画像が記録される記録媒体に光照射により潜像を書き込み上記現像剤溜りを押し潰して現像剤を展開することにより現像を行なうプリンタにおいて、
記録媒体両側部を挟んでその記録媒体を搬送する一対の搬送ローラと、
上記一対の搬送ローラよりも記録媒体搬送方向下流側に配備され、その記録媒体を全幅に亘って挟んで上記現像剤溜りを押し潰して現像剤を展開する一対の展開ローラとを備え、
上記一対の搬送ローラのうちの少なくとも一方の搬送ローラが、所定の高さの第１の凸部が分散配置されるとともに、それら第１の凸部どうしの間に、それら第１の凸部よりも高さが低く、かつ、それら第１の凸部よりも体積が大きい第２の凸部が分散配置された表面形状を有することを特徴とする。
【０００８】
本発明のプリンタは、一対の搬送ローラのうちの少なくとも一方の搬送ローラを構成する第１の凸部が分散配置されたものであるため、第１の凸部を一律に配置した場合と比較し、間隔が狭過ぎて単位面積当たりの第１の凸部が増して一定加重下において第１の凸部に掛かる加重が分散されて減ってしまうことで記録媒体に刺さりにくくなり、搬送性能が低下するというようなことはなく、第１の凸部それぞれで記録媒体を確実且つ正確に搬送することができる。また、第１の凸部どうしの間に、それら第１の凸部よりも高さが低い第２の凸部が分散配置されているため、第２の凸部で記録媒体を受け止めながら第１の凸部でその記録媒体を確実且つ正確に搬送することができる。さらに、第２の突起部の体積は第１の凸部の体積よりも大きく形成するものであるため、実施形態で説明するように転造金型で、ツバ状に張り出した部分を有する搬送ローラであっても、変形量を小さく抑えたままその部分に第１，第２の凸部を形成することができる。従って、搬送ローラの、記録媒体の両側部を挟む部分の幅寸法を小さく抑えることができ、サイズの小さな記録媒体を使用することができる。このため、記録媒体の送りムラを小さく抑え、薄型でかつ小型の構造を有するプリンタを提供することができる。
【０００９】
ここで、上記第１の凸部が錐形状を有するものであることが好ましい。
【００１０】
このようにすると、第１の凸部で記録媒体を突き刺した状態で搬送することができるため、記録媒体を正確且つ確実に搬送することができる。
【００１１】
また、上記第２の凸部が尖頭切断形状を有するものであることも好ましい態様である。
【００１２】
このようにすると、第２の凸部の尖頭切断形状で記録媒体を受け止めた状態で、第１の突起部でその記録媒体を突き刺した状態で搬送することができるため、記録媒体を一層正確且つ確実に搬送することができる。
【００１３】
さらに、上記一対の展開ローラのうちの少なくとも一方の展開ローラが、記録媒体両端部を挟む部分に、所定の高さの第１の凸部が分散配置されるとともに、その第１の凸部どうしの間に、その第１の凸部よりも高さが低く、かつ、その第１の凸部よりも体積が大きい第２の凸部が分散配置された表面形状を有することも好ましい。
【００１４】
このような展開ロールを備えると、上記搬送ローラと同様にして記録媒体の送りムラを小さく抑えることができる。また、このような第１，第２の凸部は転造加工金型で好適に
形成することができ、サンドブラスト処理して展開ローラに凹凸を形成する場合と比較し、複雑な砥粒の管理や処理工程を行なう必要もなく、展開ローラの加工工程を簡素化することができコストの削減を図ることができる。
【発明の効果】
【００１５】
本発明によれば、記録媒体の送りムラを小さく抑え、薄型でかつ小型の構造を有するプリンタを提供することができる。
【発明を実施するための最良の形態】
【００１６】
以下、本発明の実施形態について説明する。
【００１７】
図１は、本発明の一実施形態のプリンタを、斜め前方から見た斜視図である。
【００１８】
このプリンタ１は、携帯電話などと組み合わされて使用されるものであって、露光により潜像が形成され送り出しの際に現像剤が展開されて顕像化されるインスタントフイルムシートが複数枚（ここでは１０枚として説明する）積層されたインスタントフイルムパックが媒体装填室に装填され、そのインスタントフイルムシートを画像データに応じて露光して外部に送り出しながらそのインスタントフイルムシートに現像剤を展開するものである。このインスタントフイルムシートが本発明にいう記録媒体の一例に相当する。
【００１９】
携帯電話にはＩｒＤＡ（Ｉｎｆｒａｒｅｄ  Ｄａｔａ  Ａｓｓｏｃｉａｔｉｏｎ）に準拠した赤外線通信を行なえるものがあり、この赤外線通信を使用して自分の持つ情報を他の情報機器へ送信することができ、カメラ付き携帯電話であれば、画像データをこのプリンタ１に送信することができる。このプリンタ１は、そのカメラ付き携帯電話で撮影された画像を表わす画像データまたはメールなどで携帯電話に送信されてきた画像データが赤外線通信を用いてこのプリンタ１に送信されてきたときに、その画像データに基づいてインスタントフイルムシート上に画像の記録を行なうものであり、さらにその送信された画像データに基づく画像の再記録を、携帯電話から再送信をわざわざ行なわなくても、後述するリピートスイッチを操作するという簡単な操作で別のインスタントフイルムシート上に行なえるものである。
【００２０】
このプリンタ１は、図１に示すように薄型で軽量かつ小型の構造を有する可搬型のプリンタであり、３Ｖ用の一次電池が２個内蔵される。このプリンタ１の筐体１ａ内にインスタントフイルムパックが装填され、そのインスタントフイルムパック内の、積層された１０枚のインスタントフイルムシート一枚一枚に画像の記録が行なわれる。
【００２１】
プリンタ１の筐体１ａの上面には操作ボタンとして、このプリンタ１の電源の投入および遮断を指示する電源スイッチ（以下、電源ＳＷと記述する）１１と、送信された画像データに基づく画像の再記録を行なうためのリピートスイッチ（以下、リピートＳＷと記述する）１２が設けられている。また、筐体１ａの上面には、インスタンフイルムシートの残り枚数を示すカウンタ１３が設けられている。このカウンタ１３は機械式のカウンタであり、未使用のインスタントフイルムパックが装填されて電源が投入されると残り枚数が１０枚であることを示す数値‘１０’が表示される。以下、インスタントフイルムシートに画像の記録が行なわれる度に枚数が減算された残り枚数を示す数値が表示され、１０枚目のインスタントフイルムシートに画像の記録が行なわれると残り枚数が０枚であることを示す数値‘０’が表示される。
【００２２】
また、このプリンタ１の端部には、送受信部１４が備えられている。この送受信部１４は、前述した赤外線通信により送信されてきた画像データを受信するとともに、受信された旨を相手側に知らせるための信号を送信する。
【００２３】
さらに、このプリンタ１の筐体１ａには、電源が投入されると点灯するとともに赤外線通信時に点滅する電源用ＬＥＤ１５、赤外線通信においてエラーが発生すると点灯する通信エラー用ＬＥＤ１６、および内蔵された電池電圧が低下するとユーザに電池交換を促すために点灯するローバッテリ表示用のＬＥＤ１７が設けられている。
【００２４】
また、プリンタ１の側面には、そのプリンタ１の下面側に設けられた後述するフイルムドアを開放するためのフイルムドア開放スイッチ１８が備えられており、コーナー部にはストラップ取付部１ｂが備えられている。
【００２５】
図２は、図１に示すプリンタにおいて、カメラ付き携帯電話からの画像データに基づいて画像が記録されたインスタントフイルムシートが排出される様子を示す図である。
【００２６】
カメラ付き携帯電話２の赤外線通信部をプリンタ１の送受信部１４に向けた状態で、そのカメラ付き携帯電話２を操作して、カメラ付き携帯電話２で撮影された画像を表わす画像データを赤外線通信を用いてこのプリンタ１に送信する。プリンタ１は、赤外線通信により送信されてきた画像データを受信し、その受信した画像データに基づく潜像の記録を露光によりインスタントフイルムシート１００１上に行ないながら、そのインスタントフイルムシート１００１を顕像しつつ、プリンタ１の送出口１９から外部へ徐々に排出する。その後、リピートＳＷ１２が操作されたときにも、その画像と同じ画像の再記録が別のインスタントフイルムシート上に行なわれる。
【００２７】
図３は、図１に示すプリンタの下面側を斜め上方から見た斜視図である。
【００２８】
このプリンタ１の下面側には、図２に示すフイルムドア開放スイッチ１８の操作により開放されるフイルムドア２０が設けられており、このフイルムドア２０が開けられ、インスタントフイルムパックが媒体装填室に装填される。また、フイルムドア２０には、インスタントフイルムパックが装填されているか否かを確認するためのパック在否確認窓２０ａが設けられている。さらに、フイルムドア２０に隣接して、このプリンタ１の電源となる電池を実装するために開放される電池蓋２１も設けられている。
【００２９】
図４は、図３に示すプリンタの、フイルムドアが開けられた状態の斜視図である。
【００３０】
フイルムドア２０の内側には、前述したパック在否確認窓２０ａと、バネ部材２０ｂ,
２０ｃが設けられており、これらのバネ部材２０ｂ，２０ｃによってインスタントフイルムパック内に積層されたインスタントフイルムシートがプリンタ１の上面側に押圧される。
【００３１】
また、プリンタ１には、インスタントフイルムパックを装填するための媒体装填室２２が設けられている。媒体装填室２２外の、図４における右側には、搬送するインスタントフイルムシートに画像を書き込む画像書込部３００および媒体搬送部３０が設けられている。これら画像書込部３００および媒体搬送部３０の詳細については後述する。また、媒体装填室２２内の、図４における下方には、インスタントフイルムシートを画像書込部３００および媒体搬送部３０側に送り出させるための爪（クロー）２４が設けられている。このような構成によって、インスタントフイルムパック内のインスタントフイルムシートのうちの、プリンタ１の一番上面側にあるインスタントフイルムシートが爪２４で押し上げられて媒体搬送部３０で搬送されながら画像書込部３００で画像が書き込まれる。
【００３２】
図５は、プリンタ内部の制御系統を示す構成ブロック図である。
【００３３】
図５の右端側には、図１に示すプリンタ１の模式図が示されており、この右端部を除く全域に、このプリンタ１の制御系統を示す構成が示されている。尚、図５に示す矢印は、このプリンタ１における、制御系統を示す構成要素それぞれの配置関係を示す。
【００３４】
このプリンタ１には、メイン基板部１００と、サブ基板部２００と、画像書込部３００と、ＦＰＩ部４０１と、ＥＮＣＰＩ部４０２と、ＣＯＵＮＴＰＩ部４０３と、カムスイッチ４０４と、前述した送受信部１４に設けられたＩｒＤＡ送受信部４０５と、直流モータ４０６とが備えられている。
【００３５】
サブ基板部２００には、前述した電源ＳＷ１１，リピートＳＷ１２、および表示用ＬＥＤ部２０１が備えられている。表示用ＬＥＤ部２０１には、前述した電源用ＬＥＤ１５，通信エラー用ＬＥＤ１６，ローバッテリ表示用のＬＥＤ１７、およびカウンタ１３の裏側に設けられたカウンタバックライト用のＬＥＤ（図示せず）が備えられている。
【００３６】
画像書込部３００には、光ガイドや液晶シャッタ（ＬＣＳ）等を有する光ヘッド部３０１と、その光ヘッド部３０１とメイン基板部１００とを接続するフレキシブルケーブル３０２,３０３と、フレキシブルケーブル３０３に実装されたレッド（Ｒ）,グリーン（Ｇ）,ブルー（Ｂ）の発光色を持つ発光素子（ＬＥＤ）３０４,３０５,３０６とが備えられて
いる。この画像書込部３００は、搬送途中のインスタントフイルムシートに、書込指示パルスに同期して送受信部１４により受信した画像データに基づいて、ＬＥＤ３０４,３０
５,３０６からのＲ，Ｇ，Ｂの３つの色光を循環的に照射することにより、そのインスタ
ントフイルムシートに潜像を書き込む。また、プリンタ１には、３Ｖ用の一次電池４０７が２個内蔵される。
【００３７】
以下、メイン基板部１００について説明する。メイン基板部１００には、直列接続された一次電池４０７からの６Ｖの電源電圧ＶＢが印加される。このメイン基板部１００には、ＭＰＵ（Ｍｉｃｒｏ  Ｐｒｏｃｅｓｓｏｒ  Ｕｎｉｔ）１０１と、発振子１０２と、リセット回路１０３と、フラッシュメモリ（ＦＬＡＳＨ）１０４と、ＳＤＲＡＭ１０５とが備えられている。
【００３８】
ＭＰＵ１０１は、このプリンタ１の動作を統括的に制御する。
【００３９】
発振子１０２は、所定の周波数の発振信号を生成してＭＰＵ１０１に動作用のクロック信号として供給する。
【００４０】
リセット回路１０３は、ＭＰＵ１０１の初期化を行なうためのリセット信号を出力する。
【００４１】
フラッシュメモリ１０４は、不揮発性のメモリであり、このフラッシュメモリ１０４には、プリンタ１固有の機構等に依存して定まる固体差調整用の調整値等が記憶される。
【００４２】
ＳＤＲＡＭ１０５は、揮発性のメモリであり、このＳＤＲＡＭ１０５には、カメラ付き携帯電話２からの画像データ等が記憶される。
【００４３】
また、このメイン基板部１００には、６Ｖの電源電圧ＶＢを入力して、２．５Ｖの電圧を出力する電源部１０６、３．３Ｖの電圧を出力する電源部１０７、および１５Ｖの電圧を出力するＤＣ／ＤＣコンバータ１０８が備えられている。さらに、ＭＰＵ１０１からの指示を受けてこれら電源部１０６，１０７，ＤＣ／ＤＣコンバータ１０８を制御する電源制御部１０９も備えられている。ここで、２．５Ｖの電圧はＭＰＵ１０１に供給されるとともに３．３Ｖの電圧はＭＰＵ１０１以外の周辺回路に供給される。また、１５Ｖの電圧
は、後述するＬＣＤ駆動用として用いられる。
【００４４】
このプリンタ１では、一次電池４０７の長寿命化を図るために、低消費電力モードであるスタンバイモードを有するＭＰＵ１０１を備え、電源ＳＷ１２が押された場合であっても、ＭＰＵ１０１は、初期処理が終了した時点でスタンバイモードとなる。この状態で外部から赤外線通信が行なわれると、スタンバイモードから通常の動作モードに移行してインスタントフイルムシートに画像を記録し、速やかに通常の動作モードからスタンバイモードに移行する。また、リピートＳＷ１２が押された場合もインスタントフイルムシートに画像を記録した後はスタンバイモードになる。さらに、ＭＰＵ１０１が、各部に対して必要な動作時のみ電力を供給するように、電源制御部１０９を介して電源部１０６，１０７，ＤＣ／ＤＣコンバータ１０８を制御する。このようにすることにより、内蔵された一次電池４０７で長期に渡ってこのプリンタ１を使用することができる。
【００４５】
さらに、メイン基板部１００には、ＢＣ部１１０と、ＴＰＧ部１１１と、温度検出部１１２と、発振子１１３と、ＩｒＤＡ／ＬＣＳ制御部１１４と、ヘッドＬＥＤ駆動部１１５とが備えられている。
【００４６】
ＢＣ部１１０は、一次電池４０７の電源電圧ＶＢが所定の値よりも低下したか否かをチェックする。ＭＰＵ１０１は、このチェック結果を参照して一次電池４０７の電源電圧ＶＢが所定の値よりも低下していると判定した場合は、ユーザに電池交換を促すためにローバッテリ表示用のＬＥＤ１７を点灯する。
【００４７】
ＴＰＧ部１１１は、ＤＣ／ＤＣコンバータ１０８から出力される１５Ｖの電圧をオン，オフする。
【００４８】
温度検出部１１２は、画像書込部３００の温度を検出する。ＭＰＵ１０１は、この温度検出部１１２からの検出信号に応じて光学ヘッド部３０１内の液晶シャッタの各シャッタ部のシャッタスピード等を制御する。
【００４９】
発振子１１３は、所定の周波数の発振信号を生成してＩｒＤＡ／ＬＣＳ制御部１１４に供給する。
【００５０】
ＩｒＤＡ／ＬＣＳ制御部１１４は、発振子１１３からの発振信号に基づいてＩｒＤＡ送受信部４０５および光ヘッド部３０１を制御する。ＩｒＤＡ送受信部４０５には赤外線通信を行なうための投光素子および受光素子が備えられており、ＩｒＤＡ／ＬＣＳ制御部１１４は、上記受光素子で光電変換されたデータをＭＰＵ１０１に送ったり、ＭＰＵ１０１からその旨を外部の機器に知らせるためのデータを上記投光素子経由で外部に送信したりする。また、ＩｒＤＡ／ＬＣＳ制御部１１４は、ＭＰＵ１０１からの指示に基づいて、フレキシブルケーブル３０２を介して光ヘッド部３０１に備えられた液晶シャッタを制御する。
【００５１】
ヘッドＬＥＤ駆動部１１５は、ＭＰＵ１０１の指示に基づいた電流を、フレキシブルケーブル３０３を経由してＬＥＤ３０４，３０５，３０６に流すことにより、それらＬＥＤ３０４，３０５，３０６を駆動する。
【００５２】
本実施形態のプリンタ１は、インスタントフイルムシートを直流モータ４０６で所定の副走査方向（インスタントフイルムシートが送り出される方向）に送りながら、そのインスタントフイルムシート上にその副走査方向に関しＲ，Ｇ，Ｂの３色の色について循環的に書き込むとともに、その副走査方向に交わる主走査方向については、その主走査方向に並ぶ全画素について、同時に同じ色の書き込みを行なうことにより、そのインスタントフ
イルムシート上にカラー画像を記録するプリンタである。
【００５３】
カラー画像を記録するにあたり、画像書込部３００を構成する光学ヘッド部３０１には、フレキシブルケーブル３０２を介してＩｒＤＡ／ＬＣＳ制御部１１４から画像データに応じた制御信号が供給される。この制御信号は光学ヘッド部３０１内の液晶シャッタの各シャッタ部のシャッタスピードを制御するものである。この各シャッタ部のシャッタスピードが画像データに応じて制御され、フレキシブルケーブル３０３に備えられたＬＥＤ３０４，３０５，３０６からのＲＧＢそれぞれに対応する光がインスタントフイルムシート上に照射され、インスタントフイルムシートの幅方向に多数の光点（ドット）からなる潜像が記録される。この幅方向つまり一次元的に各シャッタ部が配列されている方向が、主走査方向である。従って、この各シャッタ部が主走査方向に電子的に走査されて１ライン分の光点（全画素）がインスタントフイルムシートシート上に記録される。この光学ヘッド部３０１の電子走査によってインスタントフイルムシートの主走査方向に多数のドットからなる光点が記録される。また、上述したように、本実施形態では、直流モータ４０６によりインスタントフイルムシートシートが副走査方向に送られている。従って、副走査方向についても画像書込部３００によって多数のドット毎に光点が順次記録されていくこととなる。
【００５４】
さらに、メイン基板部１００には、ＰＩ駆動部１１６が備えられている。このＰＩ駆動部１１６は、ＦＰＩ部４０１，ＥＮＣＰＩ部４０２，ＣＯＵＮＴＰＩ部４０３を駆動する。ここで、ＦＰＩ部４０１，ＥＮＣＰＩ部４０２，ＣＯＵＮＴＰＩ部４０３について説明する。
【００５５】
ＦＰＩ部４０１は、インスタントフイルムシートの有無を検出するためのフォトインタラプタである。
【００５６】
ＥＮＣＰＩ部４０２は、直流モータ４０６の回転に同期したパルス列からなるエンコード信号を出力するためのフォトインタラプタである。
【００５７】
ＣＯＵＮＴＰＩ部４０３は、カウンタ１３の初期位置を検知するためのフォトインタラプタである。
【００５８】
また、メイン基板部１００には、カムスイッチ４０４が接続されている。このカムスイッチ４０４は、このプリンタ１の搬送機構における初期位置をモニタするためのスイッチである。
【００５９】
さらに、メイン基板部１００には、ＭＰＵ１０１からの制御を受けて直流モータ４０６を駆動するためのモータ駆動部１１７が備えられている。
【００６０】
図６は、インスタントフイルムシートの露光面を示す斜視図、図７は、インスタントフイルムシートの観察面を示す斜視図である。
【００６１】
図６には、インスタントフイルムシート１００１の露光面１００１＿１が示されている。この露光面１００１＿１には、インスタントフイルムシート１００１の搬送方向先端部に配備された現像剤溜り１００１ａと、画像が露光される露光部１００１ｂと、余白部１００１ｃと、余った現像剤を吸収するトラップ部１００１ｄとが設けられている。また、図７には、インスタントフイルムシート１００１の観察面１００１＿２側が示されている。この観察面１００１＿２には、露光により潜像が形成され現像剤の展開を受けて顕像化された画像を観察するための観察部１００１ｅと、余白部１００１ｆが設けられている。
【００６２】
図８は、媒体搬送部を示す断面図、図９は、図８に示す媒体搬送部を露光面側からみた斜視図である。
【００６３】
媒体搬送部３０には、図９に示すようにインスタントフイルムシート１００１の両側部を挟んでそのインスタントフイルムシート１００１を搬送する一対の搬送ローラ３１，３２が備えられている。搬送ローラ３２は、図８に示すバネ部材３５で搬送ローラ３１側に付勢されている。
【００６４】
また、媒体搬送部３０には、上記一対の搬送ローラ３１，３２よりもインスタントフイルムシート１００１の搬送方向下流側に配備され、そのインスタントフイルムシート１００１を全幅に亘って挟んで現像剤溜り１００１ａを押し潰して現像剤を展開する一対の展開ローラ３３，３４が備えられている。展開ローラ３４は、バネ部材３６で展開ローラ３３側に付勢されている。さらに詳細には、一対の展開ローラ３３，３４は、その一対の展開ローラ３３，３４によるインスタントフイルムシート１００１の挟持位置が、一対の搬送ローラ３１，３２のインスタントフイルムシート１００１の挟持位置よりも観察面１００１＿２側に寸法Ａだけオフセットした位置に配備されている。これにより、インスタントフイルムシート１００１がオフセットされた寸法Ａ分だけ図８の右側に曲げられるため、現像剤溜り１００１ａからインスタントフイルムシート１００１上に現像剤を展開しながら吐出するにあたり、現像剤を所定の厚みに展延する制御を簡単に行なうことができる。
【００６５】
さらに、媒体搬送部３０には、搬送ローラ３１,３２と展開ローラ３３,３４との間に位置し、搬送されてきたインスタントフイルムシート１００１の観察面１００１＿２に当接し、搬送中のインスタントフイルムシート１００１の観察面１００１＿２を擦ることにより展開中の現像剤の展開パターンを制御する制御板３７が備えられている。この制御板３７は、一対の搬送ローラ３１，３２と一対の展開ローラ３３，３４との間をほぼ２分する位置に配備されている。このため、制御板３７は、インスタントフイルムシート１００１上の、一対の搬送ローラ３１，３２と一対の展開ローラ３３，３４との間における現像剤を、それら搬送ローラ３１，３２;展開ローラ３３，３４それぞれに対して均等に制御す
ることができる。また、制御板３７は、その制御板３７の、インスタントフイルムシート１００１の搬送方向と直交する部分の断面形状が緩やかな円弧状に形成されている。このため、インスタントフイルムシート１００１との接触が、そのインスタントフイルムシート１００１の中央部にのみ集中することが防止されて、現像剤が均一に行き渡るように制御することができる。
【００６６】
また、媒体搬送部３０には、制御板３７と展開ローラ３３，３４との間に位置し、搬送されてきたインスタントフイルムシート１００１を展開ローラ３３，３４に導く誘い板３８が備えられている。
【００６７】
さらに、媒体搬送部３０には、展開ローラ３３，３４よりも下流側において観察面１００１＿２に対してインスタントフイルムシート１００１を露光面１００１＿１側に傾けるフイルムガイドフレーム３９が備えられている。これにより、インスタントフイルムシート１００１は、制御板３７による露光面１００１＿１への当接と相俟ってＳ字状に曲げられるため、現像剤をより均一に展開することができる。
【００６８】
また、図８には、前述した画像書込部３００およびインスタントフイルムシート１００１が複数枚積層されるインスタントフイルムパック２５が示されている。インスタントフイルムパック２５内のインスタントフイルムシート１００１のうちの、プリンタ１の一番上面側にあるインスタントフイルムシート１００１が爪２４（図４参照）で押し上げられて、上述した媒体搬送部３０で搬送されながら画像書込部３００で画像が書き込まれる。
【００６９】
次に、本実施形態の特徴部分である搬送ローラ３１および展開ローラ３３について説明する。先ず、搬送ローラ３１について説明する。
【００７０】
図１０は、図９に示す一対の搬送ローラを拡大して示す図である。
【００７１】
図１０に示す一対の搬送ローラ３１，３２のうちの搬送ローラ３１は、いわゆるキャプスタンローラと称される回転駆動用のローラであり、この搬送ローラ３１の回転に伴って搬送ローラ３２が従動して回転する。搬送ローラ３１の、インスタントフイルムシート１００１の両側部に対応するツバ状に張り出した表面部分には、凹凸３１０が形成されている。この凹凸３１０は、以下に説明する転造加工方法で形成される。
【００７２】
転造加工方法とは、転造加工対象のシャフトを複数の転造金型で押し挟んで回転することによりそのシャフト表面に凹凸を形成する加工方法である。この方法は、転造金型にならった形状にシャフト表面を塑性変形させるものであるため、シャフトの表面に複数の凹凸を簡単に形成することができるものの、シャフト自体には大きな力が作用する。従って、例えば中空の円筒形状のシャフトやツバ状に張り出した部分を有するシャフトの表面に凹凸を形成しようとすると、それらシャフトが変形するという問題がある。この問題を解決するために、シャフト表面の塑性変形を小さく抑えると、記録媒体を正確且つ確実に搬送するための凹凸を形成することは困難であるという問題が発生する。そこで、本実施形態では、搬送ローラ３１の、インスタントフイルムシート１００１の両側部に対応するツバ状に張り出した表面部分に、以下に説明する転造金型５１０,５２０で凹凸３１０を形
成する。
【００７３】
図１１は、転造金型５１０,５２０で搬送ローラ３１のツバ状に張り出した表面部分に
凹凸３１０を形成する様子を示す図、図１２は、転造金型５１０,５２０の横断面の一部
を示す図である。
【００７４】
図１１には、矢印Ａ方向に回転（左回転）する円筒形状の転造金型（ロールダイス）５１０，５２０と、それら転造金型５１０，５２０の間に配備されて矢印Ａ方向とは逆方向の矢印Ｂ方向に回転（右回転）する搬送ローラ３１とが示されている。搬送ローラ３１は、転造加工対象の搬送ローラであり、この搬送ローラ３１には、詳細は後述するが、転造金型５１０，５２０で押し挟んで回転することによりその搬送ローラ３１のツバ状に張り出した表面部分に凹凸３１０が形成される。
【００７５】
転造金型５１０は、図１２（Ａ）に示すように、所定の深さの第１の溝５１１を複数有する。これら第１の溝５１１はＶ字状に形成されている。また、転造金型５１０は、第１の溝５１１どうしの間に、それら第１の溝５１１よりも浅く、かつ、横断面上の溝の面積が第１の溝５１１よりも広い第２の溝５１２を有する。この第２の溝５１２は、平坦な底部５１２ａを有する溝である。ここで、転造金型５１０の、第１の溝５１１と第２の溝５１２との間に形成された凸部５１３の寸法Ｗ10は、図１１に示すように、０．０５ｍｍである。また、転造金型５１０の、第１の溝５１１どうしの間隔であるピッチＰ１は、０．３４ｍｍである。尚、第１の溝５１１が有する体積Ａと第２の溝５１２が有する体積Ｂとの関係は、Ａ≦Ｂとなっている。その理由としては、突起形成溝である第１の溝５１１に金属が流れ込んで満たされる以前に、逃げ溝である第２の溝５１２に金属が流れ込んで満たされてしまうと、その抵抗で、それ以上金属に食い込まなくなり、鋭利な突起が形成されなくなってしまうからである。
【００７６】
一方、転造金型５２０は、図１１に示すように、搬送ローラ３１に接離自在な金型であり、この転造金型５２０は、図１２（Ｂ）に示すように、所定の深さの溝５２１を複数有
する。これら溝５２１はＶ字状に形成されている。ここで、転造金型５２０の、溝５２１どうしの間に形成された凸部５２３の寸法Ｗ20は、転造金型５１０の凸部５１３の寸法Ｗ10（０．０５ｍｍ）よりも大きな寸法０．０８ｍｍである。また、転造金型５２０の、溝５２１どうしの間隔であるピッチＰ２は、上記ピッチＰ１と同じ０．３４ｍｍである。
【００７７】
このような転造金型５１０，５２０で搬送ローラ３１のツバ状に張り出した表面部分に凹凸３１０を形成するには、図１１に示すように、転造金型５２０を矢印Ｄ方向に移動しておき、転造金型５１０，５２０の間に搬送ローラ３１を配備し、転造金型５１０，５２０を矢印Ａ方向に回転するとともに搬送ローラ３１を矢印Ｂ方向に回転し、転造金型５２０を矢印Ｃ方向に移動することにより搬送ローラ３１のツバ状に張り出した表面部分に凹凸３１０を形成する。
【００７８】
図１３は、図１１に示す転造金型で形成された搬送ローラのツバ状に張り出した表面部分の凹凸パターンを示す図、図１４は、図１３に示す搬送ローラのツバ状に張り出した表面部分の凹凸の一部を拡大して示す斜視図である。
【００７９】
図１３には、転造金型５１０，５２０で形成された凹凸３１０のパターンが示されている。この凹凸３１０のパターンは、転造金型５１０の第２の溝５１２と転造金型５２０の溝５２１とで形成された平坦な底部３１１ａを有する四角錐３１１（本発明にいう第２の凸部の一例に相当）からなる第１のパターン列Ｒ１と、転造金型５１０の第１の溝５１１と転造金型５２０の溝５２１とで形成された突起３１２ａを有する四角錐３１２（本発明にいう第１の凸部の一例に相当）からなる第２のパターン列Ｒ２とが交互に配置されてなるパターンである。この凹凸３１０は、図１３に示すＡ−Ａ断面，Ｂ−Ｂ断面、および図１４（Ａ），図１４（Ｂ）に示す斜視図のように、四角錐３１１の底部３１１ａの高さよりも四角錐３１２の突起３１２ａの高さのほうが高く且つ鋭利に形成されている。このため、突起３１２ａでインスタントフイルムシート１００１の両側部を突き刺すにあたり、そのインスタントフイルムシート１００１を底部３１１ａで受け止めるため、突起３１２ａでインスタントフイルムシート１００１を確実に突き刺すことができる。従って、搬送ローラ３１でインスタントフイルムシート１００１を正確且つ確実に搬送することができる。また、図１３に示すＡ−Ａ断面，Ｂ−Ｂ断面に見られるように、突起３１２ａは、１つおきに形成されているため、即ち、分散配置されているため、低加重であってもインスタントフイルムシート１００１に突き刺さり易くなっている。
【００８０】
図１５は、図１３に示す凹凸パターンとは異なる凹凸パターンを示す図である。
【００８１】
図１５には、図１１に示す転造金型５１０を２つ使用して形成された凹凸３２０が示されている。ここでは、図１１に示す左側の転造金型５１０を第１の転造金型と称する。また、図１１に示す右側の、転造金型５２０に代わる転造金型５１０を第２の転造金型と称する。この凹凸３２０のパターンは、第１の転造金型の第２の溝５１２と第２の転造金型の第１の溝５１１とで形成された平坦な底部３２１ａを有する四角錐３２１、および第１の転造金型の第２の溝５１２と第２の転造金型の第２の溝５１２とで形成された上記底部３２１ａよりも広い底部３２２ａを有する四角錐３２２からなる第１のパターン列Ｒ１を有する。また、この凹凸３２０のパターンは、第１の転造金型の第１の溝５１１と第２の転造金型の第１の溝５１１とで形成された突起３２３ａを有する四角錐３２３、および第１の転造金型の第２の溝５１２と第２の転造金型の第１の溝５１１とで形成された平坦な底部３２４ａを有する四角錐３２４からなる第２のパターン列Ｒ２を有する。このように、２つの転造金型５１０,５１０で搬送ローラ３１のツバ状に張り出した表面部分に、凹
凸３２０を形成し、その凹凸３２０の突起３２３ａでインスタントフイルムシート１００１の両端を突き刺して正確且つ確実に搬送してもよい。
【００８２】
図１６は、図９に示す一対の展開ローラを拡大して示す図である。
【００８３】
図１６に示す一対の展開ローラ３３，３４のうちの一方の展開ローラ３３には、図１０に示す搬送ローラ３１のツバ状に張り出した表面部分に形成された凹凸３１０と同様な凹凸３３０が形成されている。このような展開ロール３３を備えると、搬送ローラ３１と同様にしてインスタントフイルムシート１００１の送りムラを小さく抑えることができる。また、この展開ローラ３３には転造加工方法で凹凸３３０が形成されているため、例えばサンドブラスト処理して展開ローラに凹凸を形成する場合と比較し、複雑な砥粒の管理や処理工程を行なう必要もなく、展開ローラ３３の加工工程を簡素化することができコストの削減を図ることができる。
【００８４】
尚、本実施形態では、搬送ローラ３１，展開ローラ３３に凹凸３１０（もしくは３２０），３３０を形成した例で説明したが、これに限られるものではなく、本発明は、一対の搬送ローラのうちの少なくとも一方の搬送ローラが、所定の高さの第１の凸部が分散配置されるとともに、それら第１の凸部どうしの間に、それら第１の凸部よりも高さが低く、かつ、それら第１の凸部よりも体積が大きい第２の凸部が分散配置された表面形状を有するものであればよい。
【００８５】
また、本実施形態では、画像が記録されるインスタントフイルムシート１００１を搬送しながらそのインスタントフイルムシート１００１に光照射により潜像を書き込み現像剤溜り１００１ａを押し潰して現像剤を展開することにより現像を行なうプリンタ１で説明したが、これに限られるものではなく、本発明は、画像が記録される記録媒体に光照射により潜像を書き込み現像剤溜りを押し潰して現像剤を展開することにより現像を行なうプリンタであればよい。
【図面の簡単な説明】
【００８６】
【図１】本発明の一実施形態のプリンタを、斜め前方から見た斜視図である。
【図２】図１に示すプリンタにおいて、カメラ付き携帯電話からの画像データに基づいて画像が記録されたインスタントフイルムシートが排出される様子を示す図である。
【図３】図１に示すプリンタの下面側を斜め上方から見た斜視図である。
【図４】図３に示すプリンタの、フイルムドアが開けられた状態の斜視図である。
【図５】プリンタ内部の制御系統を示す構成ブロック図である。
【図６】インスタントフイルムシートの露光面を示す斜視図である。
【図７】インスタントフイルムシートの観察面を示す斜視図である。
【図８】媒体搬送部を示す断面図である。
【図９】図８に示す媒体搬送部を露光面側からみた斜視図である。
【図１０】図９に示す一対の搬送ローラを拡大して示す図である。
【図１１】転造金型５１０,５２０で搬送ローラ３１のツバ状に張り出した表面部分に凹凸３１０を形成する様子を示す図である。
【図１２】転造金型５１０,５２０の横断面の一部を示す図である。
【図１３】図１１に示す転造金型で形成された搬送ローラのツバ状に張り出した表面部分の凹凸パターンを示す図である。
【図１４】図１３に示す搬送ローラのツバ状に張り出した表面部分の凹凸の一部を拡大して示す斜視図である。
【図１５】図１３に示す凹凸パターンとは異なる凹凸パターンを示す図である。
【図１６】図９に示す一対の展開ローラを拡大して示す図である。
【符号の説明】
【００８７】
１  プリンタ
１ａ  筐体
２  カメラ付き携帯電話
１１  電源スイッチ（電源ＳＷ）
１２  リピートスイッチ（リピートＳＷ）
１３  カウンタ
１４  送受信部
１５  電源用ＬＥＤ
１６  通信エラー用ＬＥＤ
１７  ローバッテリ表示用のＬＥＤ
１８  フイルムドア開放スイッチ
１ｂ  ストラップ取付部
１９  送出口
２０  フイルムドア
２０ａ  パック在否確認窓
２０ｂ,２０ｃ  バネ部材
２１  電池蓋
２２  媒体装填室
２３  搬送ローラ
２４  爪（クロー）
２５  インスタントフイルムパック
３０  媒体搬送部
３１,３２  搬送ローラ
３３,３４  展開ローラ
３５，３６  バネ部材
３７  制御板
３８  誘い板
３９  フイルムガイドフレーム
１００  メイン基板部
１０１  ＭＰＵ
１０２，１１３  発振子
１０３  リセット回路
１０４  フラッシュメモリ
１０５  ＳＤＲＡＭ
１０６，１０７  電源部
１０８  ＤＣ／ＤＣコンバータ
１０９  電源制御部
１１０  ＢＣ部
１１１  ＴＰＧ部
１１２  温度検出部
１１４  ＩｒＤＡ／ＬＣＳ制御部
１１５  ヘッドＬＥＤ駆動部
１１６  ＰＩ駆動部
１１７  モータ駆動部
２００  サブ基板部
２０１  表示用ＬＥＤ部
３００  画像書込部
３０１  光ヘッド部
３０２，３０３  フレキシブルケーブル
３０４,３０５,３０６  発光素子（ＬＥＤ）
３１０，３２０，３３０  凹凸
３１１，３１２，３２２，３２３，３２４  四角錐
３１１ａ，３２１ａ，３２２ａ，３２４ａ，５１２ａ  底部
３１２ａ，３２３ａ  突起
４０１  ＦＰＩ部
４０２  ＥＮＣＰＩ部
４０３  ＣＯＵＮＴＰＩ部
４０４  カムスイッチ
４０５  ＩｒＤＡ送受信部
４０６  直流モータ
４０７  一次電池
５１０，５２０  転造金型
５１１  第１の溝
５１２  第２の溝
５１３，５２３  凸部
５２１  溝
１００１  インスタントフイルムシート
１００１＿１  露光面
１００１＿２  観察面
１００１ａ  現像剤溜り
１００１ｂ  露光部
１００１ｃ，１００１ｆ  余白部
１００１ｄ  トラップ部
１００１ｅ  観察部
【図１】
2005350248.tif 000003
【図２】
2005350248.tif 000004
【図３】
2005350248.tif 000005
【図４】
2005350248.tif 000006
【図５】
2005350248.tif 000007
【図６】
2005350248.tif 000008
【図７】
2005350248.tif 000009
【図８】
2005350248.tif 000010
【図９】
2005350248.tif 000011
【図１０】
2005350248.tif 000012
【図１１】
2005350248.tif 000013
【図１２】
2005350248.tif 000014
【図１３】
2005350248.tif 000015
【図１４】
2005350248.tif 000016
【図１５】
2005350248.tif 000017
【図１６】
2005350248.tif 000018